(57)【要約】      （修正有）【課題】外側面部のみを膨らませ、内側面部は縮むように六角形状編み部を複数連接する踵保護部をハニカム構造にし、歩行時の人体の衝撃力を均一に吸収しクッション性を高め、踵保護部の損傷を減じた靴下を提供する。【解決手段】靴下本体を構成する人体脚部の踵部を被覆する踵被覆部２の踵保護部ａの編み上げ構造を、人体の衝撃力を均一に吸収し、クッション性に優れ、厚みを有し圧潰しにくい特性を有する外側面部のみを膨らませ内側面部は縮むようにした夫々の編み糸を使用して１目が六角形の六角形状編み部３を複数連接せしめハニカム構造とする踵保護部ａを形成せしめた。【選択図】図２
0003193857.tif 000002
【実用新案登録請求の範囲】
【請求項１】
靴下本体を構成する人体脚部の踵部を被覆する踵被覆部の踵保護部の編み上げ構造を、人体の衝撃力を均一に吸収し、クッション性に優れ、厚みを有し圧潰しにくい特性を有する外側面部のみを膨らませ内側面部は縮むようにした夫々の編み糸を使用して１目が六角形の六角形状編み部を複数連接せしめハニカム構造とする踵保護部を形成せしめることを特徴とする靴下。
【請求項２】
複数連接の六角形状編み部を稍均一に形成せしめることを特徴とする請求項１に記載の靴下。
【請求項３】
ハニカム構造の踵保護部をクッション編みにて編み上げることを特徴とする請求項１または２に記載の靴下。
【請求項４】
ハニカム構造の踵保護部の外側縁部を稍八角形状に形成せしめることを特徴とする請求項１又は２又は３に記載の靴下。
【請求項５】
前記靴下が５本指挿入部を有することを特徴とする請求項１又は２又は３又は４に記載の靴下。
【考案の詳細な説明】
【技術分野】
【０００１】
本考案は靴下本体を構成する人体脚部の踵部を被覆する踵被覆部を構成する踵保護部を、人体の衝撃力を均一に吸収し、クッション性に優れ、圧潰しにくい特性を有する１目の形状が六角形をした外側面部のみを膨らませ内側面部は縮む六角形の六角形状編み部を複数連接せしめハニカム構造をした踵保護部を形成する靴下の分野に関するものである。
【背景技術】
【０００２】
従来、踵を保護する靴下として、本件実用新案登録出願人が出願し特許を取得済みの踵保護靴下（特許第２６２７５３０号特許公報）が開示されている。
【０００３】
当該特許公報は、二重編部分の間に保温保湿用の合成樹脂フィルムを介在せしめて、更に丈夫にすると同時に空気の流通を遮断して保温保湿性を高めたら踵のひび割れが生ずることやかさかさ荒れを生ずることが防止できるようにしたもので、靴下本体を構成する人体脚部の踵部を被覆する踵保護部の編み上げ構造を、外側面部のみを膨らませ内側面部は縮むように編み上げて、人体の衝撃力を均一に吸収して、クッション性に優れ、圧潰しにくい六角形状編み部を順次形成せしめ厚みを十分に有するハニカム構造の踵保護部を形成せしめる靴下ではない。
【０００４】
さらに従来開示の特開２００１−１３１８０１公開特許公報（乾燥防止用靴下）が開示されているが、該特許公報の乾燥防止用靴下は、靴下の踵部分に、繊維層と非通気層とを備えたシートを止着したり、前記乾燥防止シートは、繊維層の一面に非通気層が密着形成されているような構造にして、踵や足の裏の角質化しやすい部位の乾燥を防止する効果を狙ったものである。
【０００５】
従って、前記開示の特開２００１−１３１８０１公開特許公報（乾燥防止用靴下）は、靴下本体を構成する人体脚部の踵部を被覆する踵保護部の編み上げ構造を、外側面部のみが膨らみ内側面部を縮むように編み上げて、人体の衝撃力を均一に吸収して、クッション性に優れ、圧潰しにくいようにしたものではない。
【０００６】
また従来開示の特開２０１３−８７３７９公開特許公報（スペーサファブリックの編成方法及びスペーサファブリック）は、段落番号［００１３］において、この発明のスペーサファブリックでは、表編地と裏編地との素材の違いに依存せずに膨らみを設けることができ、表裏の双方を膨らませる場合に比べ膨らみは約２倍になり、膨らみは表編地と裏編地の所望の位置に形成でき、その反対側はフラットになる。このため、フラットな側がひとの体に接するようにするとサポータ、靴のソール等に適している。また膨らみ側が体に接するようにすると、クッション、椅子の人が腰掛ける面、背をもたれさせる面、リュックサックの背当て等に適している。この発明のスペーサファブリックは、所望の位置を膨らませることができるので、用途に応じた形状にできる。と説明されている。
【０００７】
しかし、この発明のスペーサファブリックは、サポータ、靴のソール等に適用できるとするが、靴下の踵保護部には適するものではない。
【０００８】
また、この発明のスペーサファブリックは、段落番号［００２６］において、図６〜図８は図１の構造のスペーサファブリックを示し、図６に示す表側は凹凸を備え、凹凸の膨らみが窪んだ接続部で強調され、図７に示す裏側はフラットである。図６に示したスペーサファブリックの表側を図８に拡大して示す。なお図６、図７で、スペーサファブリックの下端の部分は編み出し部で、後で取り除く部分である。接続部１０の位置をスペーサファブリックのウェール方向に沿って移動させ、接続部１０が互いにクロスすることにより菱形状の膨らみを囲むようにして、キルティング風のスペーサファブリックとしてある。このスペーサファブリックは、例えばクッション、背もたれ、ソール、サポータ等に適している。と説明されているが、これらの説明字句中、「菱形状の膨らみを囲むようにして、キルティング風のスペーサファブリック」との記載は、六角形状の膨らみを想定した技術ではない。
【先行技術文献】
【特許文献】
【０００９】
【特許文献１】特許第２６２７５７０号特許公報
【００１０】
【特許文献２】特開２００１−１３１８０１公開特許公報
【００１１】
【特許文献３】特開２０１３−８７３７９公開特許公報
【考案の概要】
【考案が解決しようとする課題】
【００１２】
前記特許文献１（特許第２６２７５７０号特許公報）は、二重編部分の間に保温保湿用の合成樹脂フィルムを介在せしめて、更に丈夫にすると同時に空気の流通を遮断して保温保湿を高めたら踵のひび割れが生ずることや、かさかさ荒れを生ずることが防止できるようにしたものであって、全体が薄くて歩行時等において人体の衝撃力を均一に吸収したり、あるいはクッション性等が到底期待できるものではない。
【００１３】
さらに、前記特許文献２（特開２００１−１３１８０１公開特許公報）は、靴下の踵部分に、繊維層と非通気層とを備えたシートを止着したり、前記乾燥防止シートは、繊維層の一面に非通気層が密着形成されているような構造にして、踵や足の裏の角質化しやすい部位の乾燥を防止する効果を狙ったものであって、歩行時等において人体の衝撃力を均一に吸収したり、あるいはクッション性等は到底期待できるものではない。
【００１４】
また、前記特許文献３（特開２０１３−８７３７９公開特許公報）は、段落番号［００１３］に記載されているように、表編地と裏編地との素材の違いに依存せずに膨らみを設けることができ、さらに膨らみは表編地と裏編地の所望の位置に形成でき、その反対側はフラットになる。このため、サポータ、靴のソール等、その他に、クッション、椅子の人が腰掛ける面、背をもたれさせる面、リュックサックの背当て等に適している。と説明されているが、人体脚部にかかった衝撃力を均一に吸収し、この衝撃力を緩和し同時にクッション性をも併有することは到底期待できるものではない。
【００１５】
しかるに、本考案の靴下は、該靴下を構成する踵保護部の構造を前記特許文献１、２、３の発明とは全く異なる外側面部のみを膨らませ、内側面部は縮むように編み糸を使用して１目が六角形状をした六角形状編み部を複数連接する踵保護部をハニカム構造にし、歩行時における人体の衝撃力を均一に吸収し、且つクッション性をも著しく高めると共に、踵保護部の損傷をも著しく減じて製品寿命を延ばし経済性をも著しく増大せしめるようにしたものである。
【課題を解決するための手段】
【００１６】
課題を解決するための手段として、請求項１に記載の考案は、靴下本体１を構成する人体脚部の踵部を被覆する踵被覆部２の踵保護部ａの編み上げ構造を、人体の衝撃力を均一に吸収し、クッション性に優れ、厚みを有し圧潰しにくい特性を有する外側面部４のみを膨らませ内側面部は縮むようにした夫々の編み糸を使用して１目が六角形の六角形状編み部３を複数連接せしめハニカム構造とする踵保護部ａを形成せしめた靴下である。
【００１７】
課題を解決するための手段として、請求項２に記載の考案は、複数連接の六角形状編み部３を稍均一に形成せしめる靴下である。
【００１８】
課題を解決するための手段として、請求項３に記載の考案は、ハニカム構造の踵保護部ａをクッション編みにて編み上げる靴下である。
【００１９】
課題を解決するための手段として、請求項４に記載の考案は、ハニカム構造の踵保護部ａの外側縁部を稍八角形状に形成せしめる靴下である。
【００２０】
課題を解決するための手段として、請求項５に記載の考案は、前記靴下が５本指挿入部を有する靴下である。
【考案の効果】
【００２１】
請求項１に記載の考案は、靴下本体を構成する人体脚部の踵部を被覆する踵被覆部の編み上げ構造を、人体の衝撃力を均一に吸収し、クッション性に優れ、厚みを有し圧潰しにくい特性を有し、外側面部のみを膨らませ内側面部は縮むようにした編み糸を使用して１目が六角形状の六角形状編み部を複数連接せしめるハニカム構造の踵保護部を形成せしめる靴下なので、靴下を履いて歩行等を行った際に、履用者の脚部から踵部に対する衝撃力が複数の六角形状をした編み部の六辺全部稍均一に分散し、且つ分散した前記編み部の六辺から順次連接する六角形状編み部へと均一に分散し、衝撃力の吸収が仕易くなった。
【００２２】
さらに本考案は、踵保護部が複数の六角形状編み部をした外側面部のみが膨らみ、且つ厚みを十分に有するハニカム構造となっているので、踵部に衝撃力が加わると、前記六角形状編み部を構成する六辺が伸縮拡張し衝撃力を緩和すると共に、クッション機能を従来タイプのものよりも著しく増大せしめた。
【００２３】
また本考案は、前記厚みを十分に有し、且つ伸縮性機能も十分に有するハニカム構造をした踵保護部なので、人体脚部にかかった衝撃力を均一に吸収することによって、前記踵保護部が潰れにくくなり、そのため前記踵保護部が損傷しにくくなった。従って、従来の靴下よりも製品寿命を著しく延長せしめ、経済的効果を発揮することができる利点を併有している。
【００２４】
請求項２に記載の考案は、複数連接の六角形状編み部を稍均一にて形成せしめる靴下なので、前記請求項１に記載の考案と同じ効果を有している。
【００２５】
請求項３に記載の考案は、ハニカム構造の踵保護部をクッション編みにて編み上げる靴下なので、前記請求項１と同じ効果を有している。
【００２６】
請求項４に記載の考案は、ハニカム構造の踵保護部の外側縁部を、稍八角形状に形成せしめる靴下なので、前記請求項１と同じ効果を併有している。
【００２７】
請求項５に記載の考案は、前記靴下が５本指挿入部を有する靴下なので、前記請求項１と同じ効果を併有している。
【図面の簡単な説明】
【００２８】
【図１】本考案の靴下を示した正面図である。
【００２９】
【図２】同背面図である。
【００３０】
【図３】図１の靴下の一部切欠拡大背面図である。
【００３１】
【図４】図１の靴下を折畳んだ拡大背面図である。
【００３２】
【図５】図４の靴下を一部拡大した背面図である。
【００３３】
【図６】図１の靴下の内側部を示す一部切欠拡大背面図である。
【００３４】
【図７】図１の靴下の内側部を示す折畳み示した拡大背面図である。
【００３５】
【図８】図１〜７に図示した靴下のハニカム構造をした踵保護部を編み上げるクッション編みの第１工程を示す図である。
【００３６】
【図９】図８に続く第２工程を示す図である。
【００３７】
【図１０】図９に続く第３工程を示す図である。
【００３８】
【図１１】図１０に続く第４工程を示す図である。
【００３９】
【図１２】図１０に続く第５工程を示す図である。
【考案を実施するための最良の形態】
【００４０】
請求項１〜５に記載の考案の実施形態は共通しているので、一括して以下のとおり説明する。
【００４１】
図においてａは靴下本体１を構成する人体脚部の踵部を被覆する踵被覆部２に形成されたハニカム構造の踵保護部である。
【００４２】
前記踵保護部ａは、図８〜１２に示す各工程のクッション編みによって行われる。その内容は以下のとおりである。
【００４３】
前記踵保護部ａは、靴下本体１の外側面部４のみが膨らみ、他方靴下本体１の内側面部５が縮むような編み糸を使用してクッション編みを施し六角形状編み部３を複数連接し、且つ外側縁部６が稍八角形状をした、いわゆるハニカム構造をしている。
【００４４】
本考案の構造上の要旨である六角形状編み部３を複数連接せしめる前記のハニカム構造をした踵保護部ａを編成するクッション編み工程は以下のとおりである。
【００４５】
図８は靴下本体１の踵保護部ａの外側面部４の膨らみを出すための工程を示すものである。
【００４６】
すなわち、前ベッドと後ベッドに針３本飛ばしで前後交互に４コース、ナイロン糸を掛けてやる工程を必要とする。
【００４７】
さらに、前記図８の膨らみを出すための工程作業をしながら、六角形状編み部３の六辺７、８、９、１０、１１、１２の輪郭を出すための編み上げ工程は、図９に図示されているように膨らむ外側面部４の編成にはウール糸もしくは綿糸が使用され、他方縮む内側面部５には、ゴム糸とナイロン糸の両者の糸が使用される。
【００４８】
そして第９図に図示されている工程によって、前ベッドと後ベッドで前と後を反対に編むことで、編まれた部分の色が逆になり凹凸が出る。すなわち、膨らんだ方の外側面部４からは、六角形をした六辺７、８、９、１０、１１、１２が凹状に区切られるかもしくは仕切られた編地に対し、内側面部５からは前記編み糸がフラット状もしくは扁平状もしくは若干凹んだ状態に編まれ、編まれた部分の色が逆になり、鮮明に識別された状態に編成される。
【００４９】
図１０は、後ベッド（移動する編み目（目移し））の編み目を前ベッド（移動してくる場所（受け））の空いている針に左方向針1本分移動（目移し）をする。すなわち、図面の前ベッドの針記号１から後ベッドの針記号１へ、前ベッドの針記号２から後ベッドの針記号２へと移動する。
【００５０】
図１１は靴下本体１の甲側を編み上げる工程を示している。
【００５１】
図１２は図１０の編み工程の編み目を後ベッドの元の位置に返す（目移し）工程を示す図である。すなわち、前ベッド（移動する編み目（目移し））１、２・・・から後ベッド（移動してくる場所（受け））１、２・・・へ移動する工程を示す図である。
【００５２】
１３は５本指挿入部、１４は開口部である。
【符号の説明】
【００５３】
ａ        踵保護部
１        靴下本体
２        踵被覆部
３        六角形状編み部
４        外側面部
５        内側面部
６        外側縁部
７        辺部
８        辺部
９        辺部
１０      辺部
１１      辺部
１２      辺部
１３      5本指挿入部
１４      開口部
【図１】
0003193857.tif 000003
【図２】
0003193857.tif 000004
【図３】
0003193857.tif 000005
【図４】
0003193857.tif 000006
【図５】
0003193857.tif 000007
【図６】
0003193857.tif 000008
【図７】
0003193857.tif 000009
【図８】
0003193857.tif 000010
【図９】
0003193857.tif 000011
【図１０】
0003193857.tif 000012
【図１１】
0003193857.tif 000013
【図１２】
0003193857.tif 000014